(57)【要約】  洗濯機を使用したクイック購入方法および洗濯機において、該方法は、Ｓ１：洗濯機がトリガー信号を受信する（１０１）；Ｓ２：識別情報およびトリガー信号の識別子を含むクイック購入コマンドをサーバに送信する（１０２）；Ｓ３：サーバはクイック購入コマンドを受信すると、クイック購入コマンドに対応する商品の選別条件を照会し、商品の選別条件を満たす商品を洗濯機とバインディングしたインテリジェント端末に送信する（１０３）；Ｓ４：インテリジェント端末は選別後の商品を表示インタフェースに表示し、表示する情報は、少なくとも商品の識別子と商品の識別子に対応するＵＲＬアドレスとを含む（１０４）；を含む。本案は洗濯機を使用して商品を迅速に購入することを実現し、ユーザのオンラインショッピングの操作および購入時間を簡略化した。【選択図】図１
2018538650.tif 000002
【特許請求の範囲】
【請求項１】
洗濯機を使用したクイック購入方法であって、
Ｓ１：洗濯機がトリガー信号を受信する；
Ｓ２：識別情報およびトリガー信号の識別子を含むクイック購入コマンドをサーバに送信する；
Ｓ３：サーバはクイック購入コマンドを受信すると、クイック購入コマンドに対応する商品の選別条件を照会し、商品の選別条件を満たす商品を洗濯機とバインディングしたインテリジェント端末に送信する；
Ｓ４：インテリジェント端末は選別後の商品を表示インタフェースに表示し、表示する情報は、少なくとも商品の識別子と商品の識別子に対応するＵＲＬアドレスとを含む；を含むことを特徴とする方法。
【請求項２】
クイック購入コマンドと商品の選別条件との対応関係をサーバに予め設定することを特徴とする、請求項１に記載の洗濯機を使用したクイック購入方法。
【請求項３】
工程Ｓ１の前に、クイック購入コマンドと商品の選別条件との対応関係を設定することをさらに含み、設定方法は、
Ａ１：インテリジェント端末で洗濯機とバインディングする；
Ａ２：インテリジェント端末が識別情報およびトリガー信号の識別子を取得して、クイック購入コマンドに保存する；
Ａ３：インテリジェント端末は、クイック購入コマンドに対応する商品の選別条件が設定されると、その対応関係をサーバに保存する；を含むことを特徴とする、請求項２に記載の洗濯機を使用したクイック購入方法。
【請求項４】
前記識別情報が、洗濯機番号および／またはユーザＩＤを含むことを特徴とする、請求項３に記載の洗濯機を使用したクイック購入方法。
【請求項５】
工程Ｓ４の前に、
インテリジェント端末の表示インタフェースに、選別後の商品を端末の表示インタフェースに表示するかどうかを提示する指示メッセージがポップアップされ、表示する場合、工程Ｓ４を実行することをさらに含むことを特徴とする、請求項１に記載の洗濯機を使用したクイック購入方法。
【請求項６】
前記商品の選別条件は、商品の分類、名称、ブランド、バーコード番号、規格、価格範囲、型番、形式、オンラインモールの名称、店舗の名称の少なくとも１つを含む；または
前記商品の選別条件は、商品推薦ページのＵＲＬアドレスを含むことを特徴とする、請求項１〜５のいずれか１項に記載の洗濯機を使用したクイック購入方法。
【請求項７】
洗濯機にクイック購入装置が設置され、該クイック購入装置が作動するとき、トリガー信号を洗濯機に送信することができることを特徴とする、請求項１〜５のいずれか１項に記載の洗濯機を使用したクイック購入方法。
【請求項８】
前記クイック購入装置はタッチパネルであり、所定の軌跡に応じてタッチパネルに触れたとき、所定の軌跡に対応するトリガー信号が洗濯機に送信され、工程Ｓ１を実行する；または
前記クイック購入装置は物理キーであり、所定のキー方式に応じて物理キーを押したとき、所定のキー方式に対応するトリガー信号が洗濯機に送信され、工程Ｓ１を実行する；または
前記クイック購入装置は洗濯機にすでにある、少なくとも２つのキーからなる複合キーであり、複合キーを押したとき、該複合キーに対応するトリガー信号が洗濯機に送信され、工程Ｓ１を実行することを特徴とする、請求項７に記載の洗濯機を使用したクイック購入方法。
【請求項９】
前記洗濯機に、洗濯機を作動させてサーバにクイック購入コマンドを送信するクイック購入装置が設置され、サーバはクイック購入コマンドに基づいて、洗濯機とバインディングしたインテリジェント端末に推薦する商品を送信することを特徴とする、請求項１〜８のいずれか１項に記載の方法を採用した洗濯機。
【請求項１０】
前記クイック購入装置は洗濯機に設置されたタッチパネルであり、タッチパネルの作動方式は、所定の軌跡に応じて該タッチパネルに触れることを含む；または
前記クイック購入装置は洗濯機に設置された物理キーであり、物理キーの作動方式は、１度押す、２度続けて押す、３度続けて押す、１度長押しする、１度短押ししてから１度長押しする、２度短押ししてから１度長押しする、のいずれか１つを少なくとも含む；または
前記クイック購入装置は洗濯機にすでにある、少なくとも２つのキーからなる複合キーであり、複合キーの作動方式は、複合キーを構成するすべてのキーを同時に押すことを含むことを特徴とする、請求項９に記載の洗濯機。
【発明の詳細な説明】
【技術分野】
【０００１】
本発明は洗濯機の分野に関し、特に、洗濯機を使用したクイック購入方法および洗濯機に関する。
【背景技術】
【０００２】
洗濯機のモデルチェンジに伴い、洗濯機の機能も次第に多くなっている。その機能は、洗剤、柔軟剤を自動的に添加することができることを含み、さらには洗剤、柔軟剤をもうすぐ使い終わるとき、速やかに相応する洗浄製品を購入するようにユーザに促すメッセージを発することができることも含む。
【０００３】
しかしながら現在、洗浄製品を購入するとき、ユーザは自分で覚えてスーパーマーケットに行き、洗浄製品を直接購入するか、またはスマートフォンもしくはコンピュータのオンラインモールで相応する洗浄製品を検索し、ある商品を選択してから、注文、支払を行い、購入を完了する必要がたびたびある。しかし、生活において次のような状況がよく生じる。ユーザが衣類を洗濯するとき、洗浄製品を使い終わったことに気付くと、そのとき購入する必要があることを覚えていても、一仕事終えるとすぐに忘れてしまい、再度洗浄製品を使用する必要があるときに、洗浄製品をすでに使い終わっていることに気付くため、速やかに、迅速に購入することができない。ユーザは、オンラインモールに行くたびに、新たに洗浄製品を検索し、洗浄製品を一々比較して大量の時間を消費する。生活のリズムが速い都会のホワイトカラーにとって、これは極めて不便である。したがって、洗浄製品を使い終わったとき、ユーザが洗濯機を使用して、速やかにクイック購入することができる洗濯機を急ぎ必要とする。
【０００４】
このことを考慮して、特に本発明を示す。
【発明の概要】
【発明が解決しようとする課題】
【０００５】
本発明が解決しようとする技術的問題は、既存技術の不足を克服することにあり、洗濯機を使用したクイック購入方法を提供する。洗濯機で簡単に操作することにより、洗濯機がトリガー信号を受信し、サーバが自動的に商品を選別し、さらに選別後の商品を洗濯機とバインディングしたインテリジェント端末に送信して表示する。ユーザはインテリジェント端末で直接リンクをクリックして、商品を購入することができる。このように洗浄製品を使い終わったとき、洗濯機で商品を迅速に購入することができ、ユーザの操作を簡略化し、洗浄製品の迅速な購入を実現する。
【０００６】
本発明のもう１つの目的は、上記方法を採用した洗濯機を提供することである。
【課題を解決するための手段】
【０００７】
本発明がその技術的問題を解決するために採用した技術案は以下の通りである。
洗濯機を使用したクイック購入方法を提供する。前記方法は以下の工程を含む。
Ｓ１：洗濯機がトリガー信号を受信する。
Ｓ２：識別情報およびトリガー信号の識別子を含むクイック購入コマンドをサーバに送信する。
Ｓ３：サーバはクイック購入コマンドを受信すると、クイック購入コマンドに対応する商品の選別条件を照会し、商品の選別条件を満たす商品を洗濯機とバインディングしたインテリジェント端末に送信する。
Ｓ４：インテリジェント端末は選別後の商品を表示インタフェースに表示し、表示する情報は、少なくとも商品の識別子と商品の識別子に対応するＵＲＬアドレスとを含む。
【０００８】
さらに、クイック購入コマンドと商品の選別条件との対応関係をサーバに予め設定する。
【０００９】
さらに、工程Ｓ１の前に、クイック購入コマンドと商品の選別条件との対応関係を設定することをさらに含む。設定方法は以下の工程を含む。
Ａ１：インテリジェント端末で洗濯機とバインディングする。
Ａ２：インテリジェント端末は識別情報およびトリガー信号の識別子を取得して、クイック購入コマンドに保存する。
Ａ３：インテリジェント端末は、クイック購入コマンドに対応する商品の選別条件が設定されると、その対応関係をサーバに保存する。
【００１０】
さらに、前記識別情報は、洗濯機番号および／またはユーザＩＤを含む。
【００１１】
さらに、工程Ｓ４の前に、
インテリジェント端末の表示インタフェースに、選別後の商品を端末の表示インタフェースに表示するかどうかを提示する指示メッセージがポップアップされ、表示する場合、工程Ｓ４を実行することをさらに含む。
【００１２】
さらに、前記商品の選別条件は、商品の分類、名称、ブランド、バーコード番号、規格、価格範囲、型番、形式、オンラインモールの名称、店舗の名称の少なくとも１つを含む。または
前記商品の選別条件は、商品推薦ページのＵＲＬアドレスを含む。
【００１３】
さらに、洗濯機にクイック購入装置が設置され、該クイック購入装置が作動するとき、トリガー信号を洗濯機に送信することができる。
【００１４】
さらに、前記クイック購入装置はタッチパネルであり、所定の軌跡に応じてタッチパネルに触れたとき、所定の軌跡に対応するトリガー信号が洗濯機に送信され、工程Ｓ１を実行する。または
前記クイック購入装置は物理キーであり、所定のキー方式に応じて物理キーを押したとき、所定のキー方式に対応するトリガー信号が洗濯機に送信され、工程Ｓ１を実行する。または
前記クイック購入装置は洗濯機にすでにある、少なくとも２つのキーからなる複合キーであり、複合キーを押したとき、該複合キーに対応するトリガー信号が洗濯機に送信され、工程Ｓ１を実行する。
【００１５】
本発明は、さらに上記方法を採用した洗濯機を提供する。前記洗濯機に、洗濯機を作動させてサーバにクイック購入コマンドを送信するクイック購入装置が設置され、サーバはクイック購入コマンドに基づいて、洗濯機とバインディングしたインテリジェント端末に推薦する商品を送信する。
【００１６】
さらに、前記クイック購入装置は洗濯機に設置されたタッチパネルであり、タッチパネルの作動方式は、所定の軌跡に応じて該タッチパネルに触れることを含む。または
前記クイック購入装置は洗濯機に設置された物理キーであり、物理キーの作動方式は、１度押す、２度続けて押す、３度続けて押す、１度長押しする、１度短押ししてから１度長押しする、２度短押ししてから１度長押しする、のいずれか１つを少なくとも含む。または
前記クイック購入装置は洗濯機にすでにある、少なくとも２つのキーからなる複合キーであり、複合キーの作動方式は、複合キーを構成する全てのキーを同時に押すことを含む。
【発明の効果】
【００１７】
本発明を実施するための形態で提供する技術案の有益な効果は、以下の通りである。
本発明の洗濯機はトリガー信号を受信したとき、サーバにクイック購入コマンドを送信し、サーバは該クイック購入コマンドを受信すると、商品を選別し、さらに選別後の商品を洗濯機とバインディングしたインテリジェント端末に送信して表示する。ユーザはインテリジェント端末で直接リンクをクリックして、商品を購入することができる。このように洗浄製品を使い終わったとき、洗濯機で商品を迅速に購入することができ、ユーザの操作を簡略化し、ユーザの購入時間を節約し、ユーザの購入効率を高め、商品の迅速な購入を実現する。
【００１８】
本発明を実施するための形態における技術案をより明確に説明するため、以下、発明を実施するための形態で使用する必要がある図を簡単に説明する。以下の説明における図は本発明のいくつかの実施例に過ぎず、当業者が創造的労働を行わない前提で、これらの図に基づいて、その他の図を得ることもできることは明らかである。
【図面の簡単な説明】
【００１９】
【図１】図１は、本発明が提供する洗濯機を使用したクイック購入方法のフローチャートである。
【図２】図２は、本発明が提供するもう１つの洗濯機を使用したクイック購入方法のフローチャートである。
【図３】図３は、本発明が提供する設定方法のフローチャートである。
【図４】図４は、本発明が提供する洗濯機の構造概要図である。
【図５】図５は、本発明が提供する洗濯機の操作パネルの構造概要図である。
【図６】図６は、本発明が提供するもう１つの洗濯機の操作パネルの構造概要図である。
【図７】図７は、本発明が提供するインテリジェント端末の表示インタフェースの概要図である。
【発明を実施するための形態】
【００２０】
本発明において、洗濯機はサーバと通信接続され、サーバはインテリジェント端末と通信接続される。通信技術はＷＩＦＩ、ＧＰＲＳ、ＺｅｅｇｂｅおよびＲＳ−４８５技術のいずれか１つでよく、インテリジェント端末はスマートフォン／ＰＡＤ／ＰＣでよい。このうち、サーバは、ユーザアカウントの登録および管理、洗濯機およびユーザアカウントのバインディングおよび管理を含む洗濯機管理プラットフォームサービスを提供する。サーバはさらに洗濯機に制御コマンドを送信して、洗濯機が報告する情報を受信し、さらに洗濯機の動作状態をインテリジェント端末で同期することができる。インテリジェント端末に洗濯機を制御することができるアプリケーションをインストールすると、インテリジェント端末でアカウントを登録し、洗濯機とバインディングすることができる。
【００２１】
以下、図および実施例を組み合わせて、実施方式をさらに説明する。
【実施例】
【００２２】
実施例１
本実施例は、洗濯機を使用したクイック購入方法を提供し、洗濯機はサーバと通信接続される。図１に示すように、該方法は以下の工程を含む。
工程１０１：洗濯機がトリガー信号を受信する。
【００２３】
具体的に、洗濯機にクイック購入装置を設置することができ、該クイック購入装置が作動するとき、洗濯機の制御モジュールにトリガー信号を送信することができる。
【００２４】
好ましくは、クイック購入装置は洗濯機に設置されたタッチパネルでよい。ユーザが所定の軌跡に応じてタッチパネルに触れたとき、洗濯機の制御モジュールに所定の軌跡に対応するトリガー信号が送信される。
【００２５】
このうち、タッチパネルは透明ガラスの表面に１層のアンチモン酸化スズ薄膜および保護膜がメッキされ、液晶モニタとの間に電子信号の干渉を防ぐ処理を行う必要がある。タッチパネルはタッチ制御技術を直接体現しており、接触信号を検出して、分析、識別する。したがって、ユーザがある軌跡に応じて該タッチパネルに触れたとき、タッチパネルはユーザが触れた軌跡を相応して検出することができる。
【００２６】
このうち、所定の軌跡は任意の図案でよく、各図案の所定の軌跡は１つの作動方式である。異なる図案の所定の軌跡は異なる作動方式に対応し、各作動方式は１つのトリガー信号に対応する。好ましくは、該所定の軌跡は開発者が洗濯機にプリセットすることができる。例えば、洗濯機にプリセットされた軌跡がアルファベットのＣであると、ユーザがアルファベットのＣに応じてタッチパネルに触れたとき、洗濯機の制御モジュールにアルファベットのＣに対応するトリガー信号が送信される。さらに好ましくは、該所定の軌跡は、ユーザが自由に設定して洗濯機に記憶させることができる。
【００２７】
さらに好ましくは、クイック購入装置は洗濯機に設置された物理キーである。所定のキー方式に応じて物理キーを押すと、所定のキー方式に対応するトリガー信号が洗濯機に送信される。
【００２８】
このうち、物理キーのキー方式は、開発者が洗濯機にプリセットすることができる。各キー方式は１つの作動方式であり、各作動方式は１つのトリガー信号に対応する。好ましくは、キー方式は、１度押す、２度続けて押す、３度続けて押す、１度長押しする、１度短押ししてから１度長押しする、２度短押ししてから１度長押しする、のいずれか１つを少なくとも含む。
【００２９】
例えば、プリセットされた作動方式は、１度押すおよび３度続けて押す、を含み、それぞれ第１トリガー信号および第２トリガー信号に対応する。ユーザが該物理キーを３度続けて押したとき、該物理キーは洗濯機の制御モジュールに第２トリガー信号を送信し、洗濯機の制御モジュールは第２トリガー信号を受信する。
【００３０】
好ましくは、該物理キーは、電源キー、スタート／一時停止キー、洗濯プログラムキーおよび洗濯パラメータキー以外の追加したキーである。このうち洗濯パラメータキーは、例えばすすぎ、脱水、水位、時間、温度、乾燥および回転速度などの洗濯プログラム中の各パラメータを制御する。
【００３１】
例えば、図５に示すように、洗濯機に電源キー、スタート／一時停止キー、洗濯プログラムキー、すすぎキー、脱水キー、水位キーおよびクイック購入キーが設けられる。該クイック購入キーは、洗濯機を作動させてサーバにクイック購入コマンドを送信するクイック購入装置であり、サーバはクイック購入コマンドに基づいて商品を選別し、さらに選別後の商品を洗濯機とバインディングしたインテリジェント端末に表示する。
【００３２】
好ましくは、該物理キーは洗濯パラメータキーのいずれか１つである。洗濯プログラムを選択した後、該物理キーを作動させた場合、対応する洗濯パラメータの機能を実行する。洗濯プログラムを選択していないとき、該物理キーを作動させた場合、洗濯機を作動させてサーバにクイック購入コマンドを送信する機能を実行する。
【００３３】
例えば、図６に示すように、洗濯機に電源キー、スタート／一時停止キー、洗濯プログラムキー、すすぎキー、脱水キーおよび水位キーが設けられ、このうち水位キーは、洗濯機を作動させてサーバにクイック購入コマンドを送信することができるクイック購入装置として用いることもできる。洗濯機が始動した後、洗濯プログラムを選択していないとき、該水位キーを押した場合、該水位キーは購入の機能を実行する。すなわち該水位キーに対応するトリガー信号が洗濯機に送信され、洗濯機を作動させてサーバにクイック購入コマンドを送信する。洗濯プログラムを選択した後、該水位キーを押した場合、該水位キーは洗濯機の水位を設定する機能を実行する。
【００３４】
好ましくは、クイック購入装置は、洗濯機における少なくとも２つの任意のキーからなる複合キーである。複合キーを押したとき、該複合キーに対応するトリガー信号が洗濯機に送信される。
【００３５】
複合キーの作動方式は、複合キーを構成する全てのキーを同時に押すことを含む。
【００３６】
例えば、図６に示す洗濯機のクイック購入装置は、すすぎキー、脱水キーおよび水位キーからなる複合キーである。すすぎキー、脱水キーおよび水位キーを同時に押したとき、該複合キーに対応するトリガー信号が洗濯機に送信される。
【００３７】
クイック購入装置が物理キー、タッチパネルまたは複合キーであるかに関わらず、さらにどの作動方式であるかに関わらず、ユーザにとって、ただ１つの工程で完了することができる操作であり、該作動装置はトリガー信号を洗濯機に送信することができる。したがって、ユーザの操作は極めて簡便で、時間を消費しない。
【００３８】
工程１０２：識別情報およびトリガー信号の識別子を含むクイック購入コマンドをサーバに送信する。
【００３９】
具体的に、洗濯機はトリガー信号を受信したとき、該トリガー信号の識別子および識別情報を相応して取得して、クイック購入コマンドに記憶させ、該クイック購入コマンドをサーバに送信する。
【００４０】
このうち、トリガー信号およびトリガー信号の識別子は洗濯機に予め存在し、識別情報は洗濯機番号でも、ユーザＩＤでもよい。具体的に、出荷時、各洗濯機はいずれも異なる洗濯機を識別するための唯一の番号を１つ有し、該番号を洗濯機の制御モジュールにプリセットすることができる。洗濯機がトリガー信号を受信すると、洗濯機の制御モジュールで該番号を取得することができる。ユーザＩＤは、ユーザがサーバにログインするアカウントでよく、該アカウントはサーバで唯一であり、異なるユーザを識別する。該ユーザアカウントを洗濯機の制御モジュールにプリセットすることができ、洗濯機がトリガー信号を受信すると、洗濯機の制御モジュールで該アカウントを取得することができる。
【００４１】
工程１０３：サーバはクイック購入コマンドを受信すると、クイック購入コマンドに対応する商品の選別条件を照会し、商品の選別条件を満たす商品を洗濯機とバインディングしたインテリジェント端末に送信する。
【００４２】
このうち、クイック購入コマンドと商品の選別条件との対応関係をサーバに予め設定する。具体的にユーザが洗濯機を購入するとき、相応する情報を書き込むと、開発者がその対応関係をサーバに追加することができる。好ましくは、ユーザが、相応するクライアント端末のアプリケーションまたはＰＣのホームページで、自らその対応関係を設定し、サーバに保存することもできる。
【００４３】
具体的に、サーバはクイック購入コマンドを受信すると、クイック購入コマンドに対応する商品の選別条件を照会し、オンラインモールで商品の選別条件に符合する商品を照会し、選別した商品を洗濯機とバインディングしたインテリジェント端末に送信する。好ましくは、サーバは選別した商品のリンクアドレスを生成し、該リンクアドレスをインテリジェント端末に送信する。さらに、サーバは該リンクアドレスを、ネットワークを介してインテリジェント端末に送信することができるが、ショートメッセージに記憶させて、ショートメッセージの形式でインテリジェント端末に送信することもできる。
【００４４】
好ましくは、サーバが照会するオンラインモールの数は少なくとも１つであり、サーバが選別する商品の数は少なくとも１つである。サーバが選別した商品の個数が０である場合、サーバは商品の選別条件に関係する商品のリンクアドレスを生成して、インテリジェント端末に送信する。
【００４５】
このうち、商品の選別条件は、商品を限定する分類、名称、ブランド、バーコード番号、規格、価格範囲、型番、形式、オンラインモールの名称、店舗の名称の少なくとも１つを含む。好ましくはその任意の要素の組合せでよく、各要素間は「および」「または」などの関係でよい。好ましくは、商品の名称は洗濯機に関係する商品であり、好ましくは洗浄製品である。
【００４６】
例えば、商品の分類は洗浄製品でよい。名称は衣料用粉末洗剤、洗剤、柔軟剤などでよい。ブランドはタイド、立白などでよい。規格はｎキログラム、ｎミリリットルなどでよい。オンラインモールの名称はハイアールオンラインストア、Ｔｍａｌｌなどでよい。店舗の名称はＸＸ旗艦店でよい。価格範囲は０〜ｎ元でよい。型番／形式は高効果芳香タイプ、ラベンダーの香りなどでよい。
【００４７】
このうち、バーコード番号は商品の外装にあるバーコードであり、該バーコードに基づいて、あるメーカが製造したある商品を確定することができる。例えば番号が「６９２０１７４７００７８７」の商品について、該商品が立白の高効果高濃度衣料用液体洗剤であり、規格が５００ｇであることがわかる。
【００４８】
好ましくは、商品の選別条件は商品推薦インタフェースのＵＲＬ（Ｕｎｉｆｏｒｍ  Ｒｅｓｏｕｒｃｅ  Ｌａｃａｔｏｒ、統一資源位置指定子）アドレスを含むこともでき、該ＵＲＬアドレスはある商品推薦インタフェースを示す目的アドレスに用いられる。商品推薦インタフェースのＵＲＬアドレスを商品の選別条件とする場合、サーバはオンラインモールで商品を選別する必要がなくなり、該ＵＲＬアドレスを洗濯機とバインディングしたインテリジェント端末に直接送信し、該ＵＲＬアドレスをクリックすると商品推薦インタフェースに飛ぶことができる。
【００４９】
好ましくは、本工程の後に、インテリジェント端末の表示インタフェースに、選別後の商品を端末の表示インタフェースに表示するかどうかを提示する指示メッセージがポップアップされることをさらに含む。
表示する場合、工程１０４を実行し、そうでない場合、インテリジェント端末に時間を遅らせるかどうかのメッセージがポップアップされる。遅らせる場合、インテリジェント端末に、所定時間後、再度指示メッセージが表示され、そうでない場合、指示メッセージが取り消され、サーバが当該回で送信した選別後の商品は表示されない。
【００５０】
例えば、インテリジェント端末の表示インタフェースにポップアップされる指示メッセージは、「洗濯機から洗剤の推薦情報を受信しました。開きますか」であり、さらに表示インタフェースに「開く」および「キャンセル」オプションが示される。ユーザが「開く」を選択したとき、インテリジェント端末は工程１０４を実行する。ユーザが「キャンセル」を選択したとき、インテリジェント端末の表示インタフェースに時間を遅らせるかどうかのメッセージ「１時間後に表示します。いいですか」がポップアップされ、「１時間遅らせる」および「もう表示しない」の２つの操作オプションが示される。ユーザが「１時間遅らせる」を選択した場合、１時間後、インテリジェント端末に指示メッセージ「洗濯機から洗剤の推薦情報を受信しました。開きますか」が再度表示される。ユーザが「もう表示しない」を選択した場合、端末はサーバが当該回に送信した推薦商品を表示しない。
【００５１】
工程１０４：インテリジェント端末は選別後の商品を表示インタフェースに表示し、表示する情報は、少なくとも商品の識別子と商品の識別子に対応するＵＲＬアドレスとを含む。
【００５２】
このうち、商品の識別子は商品の名称でよい。ＵＲＬアドレスはオンラインモールの商品を示す唯一の目的アドレスに用いられ、該目的アドレスを確定すると、例えばオンラインモールの名称、店舗の名称、商品の分類、名称、ブランド、規格、型番、形式、価格などの一部の商品属性を相応して確定することができる。ユーザはＵＲＬアドレスをクリックして商品購入ページに進み、商品を購入することができる。好ましくは、表示する情報は商品の識別子に対応する商品の写真も含む。
【００５３】
好ましくは、インテリジェント端末は表示インタフェースに少なくとも１つのソート基準オプションも表示し、該ソート基準に応じて推薦された商品をソートする。このうち、図７に示すように、ソート基準は価格によるソート、評価によるソート、お気に入り登録によるソート、オンラインモールのアクセス数によるソートの少なくとも１つを含み、オンラインモールのアクセス数によるソートは、オンラインモールのホームページにアクセスしたクリック数を指す。ユーザはソート基準オプションを手動で選択して、選別された商品をソートすることができ、いくつかのソート基準オプション間を切り替えることもできる。
【００５４】
本実施例において、洗濯機はトリガー信号を受信すると、クイック購入コマンドをサーバに直接送信し、サーバは該クイック購入コマンドを受信すると、商品を選別し、さらに選別後の商品を洗濯機とバインディングしたインテリジェント端末に送信して表示する。ユーザはインテリジェント端末で直接リンクをクリックして、商品を購入することができる。このように洗浄製品を使い終わったとき、洗濯機で商品を迅速に購入することができ、ユーザの操作を簡略化し、ユーザの購入時間を節約し、ユーザの購入効率を高め、商品の迅速な購入を実現する。
【００５５】
実施例２
本実施例は実施例１を基にし、端末の表示インタフェースに表示された商品について、ユーザは通常の購入方式により商品を購入することも、商品をワンクリック注文することもできる。
【００５６】
このうち通常の購入方式とは、ユーザが商品のＵＲＬアドレスを直接クリックして商品の購入ページに進み、商品属性（例えば形式、数量など）を選択してから、クイック購入オプションをクリックし、設定ページに進んで荷受人情報を設定し、設定後に注文を確定してから、支払ページに進み、支払方式を選択した後、支払のパスワードを入力すると、サーバが商品の注文書を発行することを指す。
【００５７】
商品をワンクリック注文するとは、選別された商品の表示ページにワンクリック注文オプションが設けられ（図７に示す）、ユーザが商品の識別子の前方にあるチェックボックスにチェックを付けて、少なくとも１つの商品を選択してから、ワンクリック注文をクリックすると、チェックした商品の全てについて、商品の注文書を直接発行することができることを指す。または
ユーザがＵＲＬアドレスをクリックして商品購入ページに進むと、商品購入ページにワンクリック注文オプションが設けられ、属性を設定する必要がある場合、ユーザは商品購入ページで先に属性（例えば形式、数量など）を設定することができ、ワンクリック注文をクリックすると、該ＵＲＬアドレスの商品について、商品の注文書を直接発行することができることを指す。
【００５８】
具体的に工程１０４の後、図２に示すように、商品をワンクリック注文する方法は以下の工程を含む。
工程１０５：ユーザがワンクリック注文オプションをクリックしたことを検出したとき、サーバに注文コマンドが送信される。
【００５９】
好ましくは、ユーザがワンクリック注文オプションをクリックしたことを検出したとき、インテリジェント端末の表示インタフェースに注文を確定するかどうかのメッセージがポップアップされ、さらに操作オプションの「確定」または「キャンセル」が示される。ユーザが「確定」を選択したとき、インテリジェント端末はサーバに注文コマンドを送信する。ユーザは「キャンセル」を選択して、当該回の注文を直接キャンセルすることができる。
【００６０】
工程１０６：サーバは注文コマンドを受信すると、自動的に商品の注文書を発行する。
【００６１】
サーバが注文コマンドを受信した後の具体的な実行工程は以下の通りである。
工程（１）：サーバは商品の識別子に対応するＵＲＬアドレスに基づいて、商品属性を取得する。
【００６２】
このうち、ＵＲＬアドレスはオンラインモールの商品を示す唯一の目的アドレスに用いられ、該目的アドレスを確定すると、例えばオンラインモールの名称、店舗の名称、商品の分類、名称、ブランド、規格、型番、形式、価格などの一部の商品属性を相応して確定することができる。
【００６３】
このうち、オンラインモールの名称はハイアールオンラインストア、Ｔｍａｌｌなどでよい。店舗の名称はＸＸ旗艦店でよい。商品の分類は洗浄製品でよい。名称は衣料用粉末洗剤、洗剤、柔軟剤などでよい。ブランドはタイド、立白などでよい。規格はｎキログラム、ｎミリリットルなどでよい。型番／形式は高効果芳香タイプ、ラベンダーの香りなどでよい。
【００６４】
工程（２）：サーバは所定の荷受人情報および支払方式を検索して、自動的に商品の注文書を発行する。
【００６５】
このうち、荷受人情報および支払方式をサーバに予め設定する。具体的にユーザが洗濯機を購入するとき、相応する情報を書き込むと、開発者がそれをサーバに追加することができる。好ましくは、ユーザが、相応するクライアント端末のアプリケーションまたはＰＣのホームページで、自ら相応する情報を書き込んで、サーバに保存することもできる。
【００６６】
サーバは商品属性を取得した後、ユーザアカウントのログイン状態を取得する。ユーザがログインしていない場合、ユーザにログインするように促し、ユーザがすでにログインしている場合、ログインしたユーザのデフォルトの荷受人情報および支払方式を照会する。所定の支払方式に応じて自動的に商品の支払を行い、荷受人情報に基づいて商品の注文書を発行する。サーバは該商品の注文書を業者に送信し、業者に新しい商品の注文書を提示する。業者は、商品の注文書における該商品の商品属性に基づいて対応する商品を選択し、荷受人情報に基づいて宅配伝票に書き込み、宅配会社または配送会社を介して、商品を荷受人の住所まで届けることができる。
【００６７】
さらに、荷受人情報は、荷受人の氏名、荷受人の電話番号、荷受住所を少なくとも含み、好ましくは荷受住所の郵便番号をさらに含む。支払方式はオンライン支払または代金引換を含むことができ、オンライン支払について、選択可能な支払システム（例えばクレジットカード支払、デビットカード支払、アリペイ支払またはウィーチャットペイ支払）を予め設定することもできる。支払システムの優先支払順序（例えばアリペイ支払を優先的に使用し、支払が成功しなかった場合、ウィーチャットペイ支払を使用する）も含み、支払制限（例えば一括支払は２００元以下で自動的に支払うことができる、１か月の支払は５００元を超えてはならないなど）を設定することも含む。
【００６８】
好ましくは、ユーザはインテリジェント端末で洗濯機とバインディングした後、アプリケーションでユーザのアカウントにログインし、荷受人情報および支払方式を設定することができる。
【００６９】
本実施例では、洗濯機はトリガー信号を受信すると、サーバにクイック購入コマンドを直接送信し、サーバは該クイック購入コマンドを受信すると、商品を選別し、さらに選別後の商品を洗濯機とバインディングしたインテリジェント端末に送信して表示する。ユーザはインテリジェント端末である商品をワンクリック注文することも、大量の商品を迅速に注文することもできる。このように洗浄製品を使い終わったとき、洗濯機で商品を迅速に購入することができ、ユーザの操作を簡略化し、ユーザの購入時間を節約し、ユーザの購入効率を高め、商品の迅速な購入を実現する。
【００７０】
実施例３
本実施例において、洗濯機はサーバと通信接続され、サーバはインテリジェント端末と通信接続される。インテリジェント端末に洗濯機を制御することができるアプリケーションをインストールすると、ユーザはインテリジェント端末でアカウントを登録し、さらに洗濯機とバインディングすることができる。
【００７１】
このうち、洗濯機にクイック購入装置が設置され、該クイック購入装置は作動させる作動方式を少なくとも１つ含み、各作動方式は１つのトリガー信号に対応することができる。異なるトリガー信号に基づいて、ユーザはインテリジェント端末で異なる商品の選別条件を設定することができる。好ましくは、商品の選別条件に基づいて選別された商品は、洗濯機に関係する商品であり、さらに好ましくは洗浄製品である。家庭用洗浄製品は通常、洗濯機付近に置かれるため、洗浄製品をもうすぐ使い終わることに気付いたとき、洗濯機のクイック購入装置により洗浄製品を迅速に購入することができる。
【００７２】
ユーザが初めてクイック購入装置を使用するとき、インテリジェント端末でクイック購入装置を相応して設定することができる。図３に示すように、該設定方法は以下の工程を含む。
工程２０１：インテリジェント端末で洗濯機とバインディングする。
【００７３】
具体的に、洗濯機が始動した後、インテリジェント端末を起動して洗濯機を検索する機能に進み、該洗濯機が検出されると、自動的に接続して該洗濯機とバインディングすることができる。このうち、ＷＩＦＩ技術、ブルートゥース（登録商標）技術などにより、インテリジェント端末および洗濯機の接続を構築することができる。
【００７４】
インテリジェント端末および洗濯機を接続することができない場合、ユーザはインテリジェント端末のページで洗濯機の型番を自ら入力して洗濯機とバインディングすることもできる。
【００７５】
例えば、ＸＸブランドの型番Ａ−３０９Ｓの洗濯機について、ユーザがインテリジェント端末で洗濯機を検索する機能を起動すると、「ＸＸブランド、型番Ａ−３０９Ｓ」の洗濯機を検出したとき、ＷＩＦＩを介して自動的に接続し、該洗濯機とバインディングすることができる。
【００７６】
工程２０２：インテリジェント端末は識別情報およびトリガー信号の識別子を取得して、クイック購入コマンドに保存する。
【００７７】
トリガー信号の識別子の取得は、具体的に、洗濯機およびインテリジェント端末をバインディングすると、インテリジェント端末は該洗濯機の型番を取得し、さらに該型番の洗濯機に対応する全ての作動方式を端末の設定インタフェースに表示し、ユーザがある作動方式を選択したとき、インテリジェント端末は該作動方式に対応するトリガー信号の識別子を取得することを含む。
【００７８】
例えば、ＸＸブランドの型番Ａ−３０９Ｓの洗濯機について、その洗濯機に物理キーが設置され、対応する作動方式は、１度押す、２度続けて押す、および３度続けて押す、を含む。インテリジェント端末が型番Ａ−３０９Ｓの洗濯機とバインディングすると、インテリジェント端末は型番「Ａ−３０９Ｓ」を取得し、さらに作動方式の「１度押す、２度続けて押す、および３度続けて押す」を設定インタフェースに表示する。ユーザが設定インタフェースで「１度押す」を選択したとき、インテリジェント端末は「１度押す」に対応するトリガー信号の識別子を取得する。
【００７９】
このうち、識別情報は洗濯機番号でも、ユーザＩＤでもよい。出荷時、各洗濯機はいずれも異なる洗濯機を識別するための唯一の番号を１つ有する。ユーザＩＤは、ユーザがサーバにログインするアカウントでよく、該アカウントはサーバで唯一であり、異なるユーザを識別する。
【００８０】
ユーザＩＤの取得は、具体的に、インテリジェント端末でログインしたユーザＩＤを直接取得して、該ユーザＩＤを洗濯機の制御モジュールで同期することを含む。洗濯機がトリガー信号を受信したとき、該ユーザＩＤを取得して、洗濯機のクイック購入コマンドに記憶させ、サーバに送信するのに便利である。
例えば、インテリジェント端末でログインしたユーザＩＤがスマートフォン番号「１３６＊＊＊＊１２３４」であると、インテリジェント端末はユーザＩＤ「１３６＊＊＊＊１２３４」を直接取得して、該ユーザＩＤを洗濯機で同期する。
【００８１】
洗濯機番号の取得は、具体的に、洗濯機から洗濯機番号を取得するか、またはユーザがインテリジェント端末で洗濯機番号を入力したことを検出したとき、該洗濯機番号を取得することを含む。
【００８２】
例えば、該洗濯機の出荷番号が「２０１５０９１０＊＊＊＊１２３４」であると、インテリジェント端末は洗濯機から該番号「２０１５０９１０＊＊＊＊１２３４」を取得するか、またはユーザがインテリジェント端末の設定インタフェースで番号「２０１５０９１０＊＊＊＊１２３４」を直接入力する。
【００８３】
具体的に、インテリジェント端末は識別情報およびトリガー信号の識別子を取得すると、それをクイック購入コマンドに保存する。好ましくは、インテリジェント端末が保存したクイック購入コマンドは洗濯機のクイック購入コマンドと同じであり、さらに好ましくは、インテリジェント端末が保存したクイック購入コマンドを洗濯機で同期することもできる。
【００８４】
識別情報およびトリガー信号の識別子を含むクイック購入コマンドについて、異なる洗濯機またはユーザＩＤが送信するクイック購入コマンドはいずれも異なり、異なる作動方式は異なるトリガー信号に対応する。同一の洗濯機またはユーザＩＤが送信するクイック購入コマンドも異なるため、各クイック購入コマンドはいずれも唯一である。
【００８５】
工程２０３：インテリジェント端末は、クイック購入コマンドに対応する商品の選別条件が設定されると、その対応関係をサーバに保存する。
【００８６】
具体的に、インテリジェント端末が識別情報およびトリガー信号の識別子をクイック購入コマンドに保存した後、ユーザが設定インタフェースで商品の選別条件を設定したことを検出したとき、インテリジェント端末はユーザが設定した情報を保存して、クイック購入コマンドと商品の選別条件との対応関係を構築し、該対応関係をサーバに保存する。
【００８７】
このうち、商品属性情報を限定することにより、商品の選別条件を設定することができる。さらに、インテリジェント端末は全ての商品属性を設定インタフェースに表示してユーザに選択させることも、ユーザが手動で入力した情報に基づいて、最も近い商品属性と対応させることもできる。ユーザがある商品属性を選択すると、インテリジェント端末は関係する商品属性を設定インタフェースに表示することができる。さらに好ましくは、ユーザが商品属性を設定するとき、インテリジェント端末はデフォルトのその他の商品属性を自動的に選択することもでき、さらに設定インタフェースに表示し、ユーザはデフォルトの商品属性を修正することができる。
【００８８】
さらに、ユーザが設定を完了した後、または設定の過程において、インテリジェント端末はユーザが設定した商品の選別条件をリアルタイムでサーバにアップロードすることもできる。サーバは、リアルタイムで商品の選別条件に符合する商品を照会し、無い場合、サーバはインテリジェント端末に対応する商品が無いというメッセージを送信することもでき、インテリジェント端末は該メッセージを設定インタフェースに表示する。
【００８９】
ユーザは、設定インタフェースでデフォルトの荷受人情報を設定することもできる。リンクから商品を購入するとき、該デフォルトの荷受人情報を直接取得できるようにし、注文するとき、再び荷受人情報を書き込む必要はない。好ましくは、インテリジェント端末はユーザの購入履歴を検出することもでき、さらに購入履歴の荷受人情報をデフォルトの荷受人情報に自動的に設定し、ユーザは荷受人情報を修正することもできる。
【００９０】
本実施例において、アプリケーションをサポートするインテリジェントＩｏＴ洗濯機について、アプリケーションを洗濯機に直接インストールすることもできる。ユーザは洗濯機でアカウントを登録して、該洗濯機とバインディングすることができ、さらに洗濯機でクイック購入コマンドに対応する商品の選別条件を設定して、その対応関係をサーバに保存する。
【００９１】
設定の完了後、上記の設定内容を保存する。以降の使用において、ユーザが購入するたびに、すでに設定した作動方式に応じて洗濯機のクイック購入装置を作動させると、洗濯機は例えば実施例１の方法を実行してユーザに相応する商品を推薦する。ユーザは実際の需要に基づいて、リンクを直接クリックして購入すればよく、このようにユーザの購入操作を簡略化し、ユーザの購入時間を節約し、ユーザ体験を高めた。
【００９２】
実施例４
図４に示すように、本実施例は洗濯機を提供し、該洗濯機はＩｏＴ洗濯機である。このうち、該洗濯機に、洗濯機を作動させてサーバにクイック購入コマンドを送信するクイック購入装置が設けられ、サーバはクイック購入コマンドに基づいて、クイック購入コマンドに対応する商品の選別条件を照会する。商品の選別条件を満たす商品をインテリジェント端末に送信して、インテリジェント端末に表示し、ユーザはリンクを直接クリックして商品を購入することができる。
【００９３】
具体的に、洗濯機は通信モジュールおよび制御モジュールを含み、洗濯機は通信モジュールを介してサーバとデータ交換を行う。クイック購入装置が作動すると、洗濯機の制御モジュールに相応するトリガー信号が送信され、制御モジュールはトリガー信号を受信すると、通信モジュールを介してサーバに相応するクイック購入コマンドを送信し、このうちクイック購入コマンドは識別情報およびトリガー信号の識別子を含む。サーバはクイック購入コマンドを受信すると、クイック購入コマンドに対応する商品の選別条件を検索する。このうち、クイック購入コマンドと商品の選別条件との対応関係をサーバに予め設定する。サーバは商品の選別条件を満たす商品を自動的に選別し、さらに選別後の商品を洗濯機とバインディングしたインテリジェント端末に送信して表示する。
【００９４】
好ましくは、クイック購入装置は洗濯機に設置されたタッチパネルであり、タッチパネルの作動方式は、所定の軌跡に応じて該タッチパネルに触れることを含む。このうち、タッチパネルは透明ガラスの表面に１層のアンチモン酸化スズ薄膜および保護膜がメッキされ、液晶モニタとの間に電子信号の干渉を防ぐ処理を行う必要がある。タッチパネルはタッチ制御技術を直接体現しており、接触信号を検出して、分析、識別する。したがって、ユーザがある軌跡に応じて該タッチパネルに触れたとき、タッチパネルはユーザが触れた軌跡を相応して検出することができる。
【００９５】
所定の軌跡は任意の図案でよく、各図案の所定の軌跡は１つの作動方式である。異なる図案の所定の軌跡は異なる作動方式に対応し、各作動方式は１つのトリガー信号に対応する。好ましくは、該所定の軌跡は開発者が洗濯機にプリセットすることができる。例えば、洗濯機にプリセットされた軌跡がアルファベットのＣであると、作動方式は、アルファベットＣの軌跡に応じて該タッチパネルに触れることである。
【００９６】
さらに好ましくは、クイック購入装置は洗濯機に設置された物理キーであり、そのキー方式は開発者が洗濯機にプリセットすることができる。各キー方式は１つの作動方式であり、各作動方式は１つのトリガー信号に対応する。好ましくは、該物理キーの作動方式は、１度押す、２度続けて押す、３度続けて押す、１度長押しする、１度短押ししてから１度長押しする、２度短押ししてから１度長押しする、のいずれか１つを少なくとも含む。
【００９７】
好ましくは、該物理キーは、電源キー、スタート／一時停止キー、洗濯プログラムキーおよび洗濯パラメータキー以外の追加したキーである。このうち洗濯パラメータキーは、例えばすすぎ、脱水、水位、時間、温度、乾燥および回転速度などの洗濯プログラム中の各パラメータを制御する。
【００９８】
例えば、図５に示すように、洗濯機に電源キー、スタート／一時停止キー、洗濯プログラムキー、すすぎキー、脱水キー、水位キーおよびクイック購入キーが設けられる。該クイック購入キーは、洗濯機を作動させてサーバにクイック購入コマンドを送信するクイック購入装置であり、サーバはクイック購入コマンドに基づいて商品を選別し、さらに選別後の商品を洗濯機とバインディングしたインテリジェント端末に表示する。
【００９９】
好ましくは、該物理キーは洗濯パラメータキーのいずれか１つである。洗濯プログラムを選択した後、該物理キーを作動させた場合、対応する洗濯パラメータの機能を実行する。洗濯プログラムを選択していないとき、該物理キーを作動させた場合、洗濯機を作動させてサーバにクイック購入コマンドを送信する機能を実行する。
【０１００】
例えば、図６に示すように、洗濯機に電源キー、スタート／一時停止キー、洗濯プログラムキー、すすぎキー、脱水キーおよび水位キーが設けられ、このうち水位キーは、洗濯機を作動させてサーバにクイック購入コマンドを送信するクイック購入装置として用いることもできる。洗濯機が始動した後、洗濯プログラムを選択していないとき、該水位キーを押した場合、該水位キーは購入の機能を実行する。すなわち該水位キーに対応するトリガー信号が洗濯機に送信され、洗濯機を作動させてサーバにクイック購入コマンドを送信する。洗濯プログラムを選択した後、該水位キーを押した場合、該水位キーは洗濯機の水位を設定する機能を実行する。
【０１０１】
好ましくは、クイック購入装置は洗濯機における少なくとも２つの任意のキーからなる複合キーである。複合キーの作動方式は、複合キーを構成する全てのキーを同時に押すことを含む。
【０１０２】
例えば、図６に示すように、クイック購入装置はすすぎキー、脱水キーおよび水位キーからなる複合キーである。該複合キーの作動方式は、すすぎキー、脱水キーおよび水位キーを同時に押すことである。
【０１０３】
クイック購入装置が物理キー、タッチパネル、または複合キーであるかに関わらず、さらにどの作動方式であるかに関わらず、ユーザは該洗濯機を使用して１つの工程で注文を完了することができる。この種の購入可能な洗濯機は、ユーザの購入習慣を改善しただけでなく、ユーザの購入時間を節約し、ユーザの購入効率を高め、購入におけるユーザ体験を大幅に高め、洗濯機の使用におけるユーザ体験も高めた。
【０１０４】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修正することができるが、いずれも本発明の技術案の内容を逸脱しない。本発明の技術的本質に基づいて、以上の実施例に対して行う簡単な修正、均等変化および修飾は、いずれも本発明案の範囲内に属する。
【図１】
2018538650.tif 000003
【図２】
2018538650.tif 000004
【図３】
2018538650.tif 000005
【図４】
2018538650.tif 000006
【図５】
2018538650.tif 000007
【図６】
2018538650.tif 000008
【図７】
2018538650.tif 000009
【国際調査報告】
2018538650.tif 000010
2018538650.tif 000011
2018538650.tif 000012
2018538650.tif 000013